【手続補正書】
【提出日】平成27年7月17日(2015.7.17)
【手続補正１】
【補正対象書類名】特許請求の範囲
【補正対象項目名】全文
【補正方法】変更
【補正の内容】
【特許請求の範囲】
【請求項１】
電子ビーム（１２）を発生させるための電子源（１１）、及び標的（１３）に衝突する前記電子ビーム（１２）の電子により、Ｘ線照射、特にＸ線照射野を発生させるための前記標的（１３）を含む、Ｘ線照射を発生させるための、特にＸ線照射野を発生させるための装置（１０）であって、前記装置（１０）が、調整可能な及び／又は変更可能なＸ線照射を発生させるように、特に調整可能な及び／又は変更可能なＸ線照射野を発生させるように設計されており、前記装置（１０）が、前記Ｘ線照射、特に前記Ｘ線照射野に影響を及ぼすための、前記電子ビーム源（１１）及び／又は前記電子ビーム（１２）の少なくとも１つのパラメーターを変化させるための変動器（１５）を有し、
前記電子ビーム（１２）が前記標的（１３）に衝突するまでの間に、前記電子ビーム（１２）が前記標的（１３）に向かっている間に、前記変動器（１５）が、前記電子ビーム源（１１）及び／又は前記電子ビーム（１２）のパラメーターを変化させるように設計されている装置。
【請求項２】
前記変動器（１５）が、前記Ｘ線照射の等方性に影響を及ぼすように、特に前記Ｘ線照射野の等方性に影響を及ぼすように設計されている、請求項１に記載の装置。
【請求項３】
前記変動器（１５）が、前記電子ビーム源（１１）及び／又は前記電子ビーム（１２）を制御するための制御器を有する、請求項１又は２のいずれか１項に記載の装置。
【請求項４】
前記変動器（１５）が、前記Ｘ線照射の、特に前記Ｘ線照射野の空間的影響に関して、前記電子ビーム源（１１）及び／又は前記電子ビーム（１２）の少なくとも１つのパラメーターを変化させるように設計されている、請求項１〜３のいずれか１項に記載の装置。
【請求項５】
前記変動器（１５）が、前記標的（１３）から放射されるＸ線照射の、特に前記標的（１３）から放射されるＸ線照射野の放射特性を調整及び／又は変更するように設計されている、請求項１〜４のいずれか１項に記載の装置。
【請求項６】
前記装置（１０）が、前記電子ビーム（１２）を偏向させるための偏向器（１６）を有し、前記変動器（１５）が、偏向器（１６）を作動させることにより、前記電子ビーム（１２）の少なくとも１つのパラメーター、特に、前記標的（１３）上の前記電子ビーム（１２）の座標、及び／又は前記標的（１３）上の前記電子ビーム（１２）の衝突位置、及び／又は前記標的（１３）上の前記電子ビーム（１２）の衝突軌道、及び／又は前記標的（１３）上の前記電子ビーム（１２）の進路半径、及び／又は前記標的（１３）の地点での前記電子ビーム（１２）の滞留時間を変化又は変化可能にするように、偏向器（１６）を作動させるように設計されている、請求項１〜５のいずれか１項に記載の装置。
【請求項７】
前記装置（１０）が、加速電圧を印加することにより前記電子を加速させるための加速器（１７）を有し、前記変動器（１５）が、前記加速器（１７）を作動させることにより、前記標的（１３）に衝突する前記電子ビーム（１２）を加速させるための前記加速電圧を変化又は変化可能にするように、前記加速器（１７）を作動させるように設計されている、請求項１〜５のいずれか１項に記載の装置。
【請求項８】
前記変動器（１５）が、規定のＸ線照射を発生させるための、特に規定のＸ線照射野を発生させるための、並びに／又は前記電子ビーム源（１１）及び／若しくは前記電子ビーム（１２）の少なくとも１つのパラメーターを変化させるための外部仕様値及び／又は基準値を受領するためにインターフェイス（１８）を有しており、並びに／又は規定のＸ線照射を発生させるための、特に規定のＸ線照射野を発生させるための、並びに／又は前記電子ビーム源（１１）及び／若しくは前記電子ビーム（１２）の少なくとも１つのパラメーターを変化させるための仕様値及び／又は基準値を入力するための入力器（２１）を有する、請求項１〜７のいずれか１項に記載の装置。
【請求項９】
前記装置（１０）が、前記電子ビーム源（１１）及び／又は前記電子ビーム（１２）の少なくとも１つのパラメーターを、前記仕様値及び／又は基準値から変化させるための仕様を計算及び／又は生成する計算器（１９）を有しており、及び／又は前記変動器（１５）が、前記計算及び／又は生成された仕様並びに／又は前記受領及び／若しくは入力された仕様値及び／若しくは基準値に関して、前記電子ビーム源（１１）及び／又は前記電子ビーム（１２）の少なくとも１つのパラメーターを変化させるための実施器（２０）を有する、請求項８に記載の装置。
【請求項１０】
電子源により電子ビームを発生させ、前記電子ビームを標的に向け、前記標的に衝突する前記電子ビームの前記電子により、Ｘ線照射、特にＸ線照射野を発生させる、調整可能な及び／又は変更可能なＸ線照射を発生させるための、特に調整可能な及び／又は変更可能なＸ線照射野を発生させるための方法であって、
変動器により、前記電子ビーム源及び／又は前記電子ビームの少なくとも１つのパラメーターを変化させ、前記少なくとも１つのパラメーターを変化させることにより、前記Ｘ線照射、特に前記Ｘ線照射野に影響を及ぼし、前記少なくとも１つのパラメーターを変化させることにより、前記標的からの前記Ｘ線照射の、特に前記Ｘ線照射野の放射特性を前記電子ビーム（１２）が前記標的（１３）に衝突するまでの間に、前記電子ビーム（１２）が前記標的（１３）に向かっている間に、変化させる方法。
【請求項１１】
前記変動器により、前記電子ビーム源及び／又は前記電子ビームが制御される、請求項１０に記載の方法。
【請求項１２】
前記変動器により、前記電子ビームを偏向させるための偏向器を作動させ、前記偏向器を作動させることにより、前記電子ビームの少なくとも１つのパラメーター、特に、前記標的上の前記電子ビームの座標、及び／又は前記標的上の前記電子ビームの衝突位置、及び／又は前記標的上の前記電子ビームの衝突軌道、及び／又は前記標的上の前記電子ビームの進路半径、及び／又は前記標的の１地点上の前記電子ビームの滞留期間を変化させる、請求項１０又は１１のいずれか１項に記載の方法。
【請求項１３】
前記変動器により、前記電子を加速させるための加速器を、加速電圧を印加させることにより作動させ、前記加速器を作動させることにより、前記標的に衝突する前記電子ビームを加速させるための前記加速電圧を変化させる、請求項１０〜１２のいずれか１項に記載の方法。
【請求項１４】
インターフェイスを介して、規定のＸ線照射、特に規定のＸ線照射分野を発生させるための、及び／又は前記電子ビーム源及び／又は前記電子ビームの少なくとも１つのパラメーターを変化させるための外部仕様値及び／又は基準値が、前記変動器に受領され、及び／又は入力器を介して、規定のＸ線照射、特に規定のＸ線照射分野を発生させるための、及び／又は前記電子ビーム源及び／又は前記電子ビームの少なくとも１つのパラメーターを変化させるための仕様値及び／又は基準値が、前記変動器に入力され、前記受領及び／又は入力された仕様値、又はそこから前記変動器にて計算される仕様に基づいて、前記変動器により、前記電子ビーム源及び／又は前記電子ビームの少なくとも１つのパラメーターに影響を及ぼす、請求項１０〜１３のいずれか１項に記載の方法。
【請求項１５】
請求項１〜９のいずれか１項に記載の装置により実施される、請求項１０〜１４のいずれか１項に記載の方法。
【手続補正２】
【補正対象書類名】明細書
【補正対象項目名】００３６
【補正方法】変更
【補正の内容】
【００３６】
別の態様においては、前記変動器は、前記標的から放射されるＸ線照射の、特に前記標的から放射されるＸ線照射野の放射特性を調整及び／又は変更するように設計されている。この場合、特に変動器は、前記電子ビームが前記標的に衝突するまでの間に、特に前記電子ビームが前記標的に向かっている間に、前記電子ビーム源及び／又は前記電子ビームの少なくとも１つのパラメーターを変化させるように設計されている。標的に向かう電子ビームの進路はループとも称される。その結果、本発明では、本装置の使用中、又は、該装置を備えた放射線照射装置の使用中に、例えば、リアルタイム又は略リアルタイムで、発生したＸ線照射、特に発生したＸ線照射野に影響を及ぼすことも可能になる。
【手続補正３】
【補正対象書類名】明細書
【補正対象項目名】００３７
【補正方法】変更
【補正の内容】
【００３７】
本発明の装置では、電子ビームが標的表面に衝突するまでの間に、特に電子ビームが標的表面に向かっている間に、電子ビーム源及び／又は電子ビームの少なくとも１つのパラメーターを変化させることにより、特に標的から放射されるＸ線照射の放射特性を変更させることができる。この点において、本発明では、一定のパラメーターに限定されない。その好ましいが限定されない実施例を後に詳しく述べる。
【手続補正４】
【補正対象書類名】明細書
【補正対象項目名】００６８
【補正方法】変更
【補正の内容】
【００６８】
前記変動器により、特に、標的から放射されるＸ線照射、特に標的から放射されるＸ線照射野の放射特性の調整及び／又は変化がもたらされる。その結果、前述したように、前記変動器により、標的に電子ビームが衝突するまでの間、特に、標的に電子ビームが向かっている間に、前記電子ビーム源及び／又は前記電子ビームの少なくとも１つのパラメーターに変化がもたらされる。